(57)【要約】      （修正有）【課題】簡易な装置構成で被写体を適切な角度で撮像することが可能な撮像装置および撮像方法を提供する。【解決手段】撮像装置は、筐体と、被写体を撮像する撮像部１２０と、画像を表示可能な画像表示部１３０と、筐体の姿勢を検知する姿勢検知部１４０と、撮像部１２０から取り込んだ原画像を姿勢検知部１４０が検知した姿勢に基づいて補正する画像補正部１５０と、原画像を補正した補正画像を、プレビュー画像として画像表示部１３０に表示させる制御部１１０と、を備える。【選択図】図２
2010252238.tif 000002
【特許請求の範囲】
【請求項１】
筐体と、
被写体を撮像する撮像部と、
画像を表示可能な画像表示部と、
前記筐体の姿勢を検知する姿勢検知部と、
前記撮像部から取り込んだ原画像を前記姿勢検知部が検知した姿勢に基づいて補正する画像補正部と、
前記原画像を補正した補正画像を、プレビュー画像として前記画像表示部に表示させる制御部と、
を備えることを特徴とする撮像装置。
【請求項２】
筐体と、
被写体を撮像する撮像部と、
画像を表示可能な画像表示部と、
前記筐体の姿勢を検知する姿勢検知部と、
前記撮像部から取り込んだ原画像を前記姿勢検知部が検知した姿勢に基づいて補正する画像補正部と、
前記画像表示部にプレビュー画像を表示する際に、前記画像補正部により補正される前記原画像の範囲を示す画像取得枠を前記プレビュー画像に重畳して表示させる制御部と、
を備えることを特徴とする撮像装置。
【請求項３】
前記制御部は、前記姿勢検知部が検知した姿勢に基づいて前記画像取得枠の拡大または縮小を行うことを特徴とする請求項２に記載の撮像装置。
【請求項４】
前記姿勢検知部は、前記筐体の所定の方向に対する傾き角を検知することを特徴とする請求項１または３に記載の撮像装置。
【請求項５】
前記画像補正部は、前記被写体の水平方向と当該撮像装置の左右方向が一致するように前記原画像の補正を行うことを特徴とする請求項１から請求項４のいずれか１項に記載の撮像装置。
【請求項６】
前記画像補正部は、フォーカスポイントを中心に前記原画像の補正を行うことを特徴とする請求項１から請求項４のいずれか１項に記載の撮像装置。
【請求項７】
前記被写体となる人物の顔を認識する顔認識部をさらに備え、
前記画像補正部は、前記認識した人物の顔を中心に前記原画像の補正を行うことを特徴とする請求項１から請求項５のいずれか１項に記載の撮像装置。
【請求項８】
前記顔認識部は複数の人物の顔の同時認識が可能であり、
前記画像補正部は、前記複数の人物の顔の中心点を中心に前記原画像の補正を行うことを特徴とする請求項６に記載の撮像装置。
【請求項９】
前記制御部は、前記画像補正部により補正される範囲内の画像に基づいて自動露出と自動ホワイトバランスを行うことを特徴とする請求項１から請求項８のいずれか１項に記載の撮像装置。
【請求項１０】
前記筐体はヒンジを有する折り畳み可能な構造であって、
当該撮像装置による撮像は前記筐体を開いた状態で行うことを特徴とする請求項１から９に記載の撮像装置。
【請求項１１】
撮像装置にて被写体を撮像し、
前記撮像装置の姿勢を検知し、
撮像した原画像を、検知した前記姿勢に基づいて補正し、
前記原画像を補正した補正画像を、プレビュー画像として表示することを特徴とする撮像方法。
【請求項１２】
撮像装置にて被写体を撮像し、
前記撮像装置の姿勢を検知し、
撮像した原画像において、検知した前記姿勢に基づいて補正する範囲を取得し、
プレビュー画像を表示する際に、取得した前記範囲を示す画像取得枠を重畳して表示させることを特徴とする撮像方法。
【発明の詳細な説明】
【技術分野】
【０００１】
本発明は、被写体を撮像する撮像装置および撮像方法に関するものである。
【背景技術】
【０００２】
近年のデジタルカメラや、カメラを有する携帯電話、ＰＨＳ（Personal Handy-phone System）、ＰＤＡ（Personal Digital Assistant）等の撮像装置において、利用者はファインダに代えて表示部（液晶ディスプレイ等）に表示された被写体の画像（プレビュー画像）を見ながら撮像を行うことが可能となっている。
【０００３】
一般的に、被写体を撮像する際に被写体の水平方向を画像の左右方向と一致させることが、撮像する画像をより見易いものとするために好適であるとされている。これを踏まえた上で上記の携帯電話等を用いた撮像を行う場合、携帯電話等自体の姿勢を水平に保つ必要がある。
【０００４】
例えば特許文献１には、撮影レンズユニット等が設けられた鏡筒ユニット回動機構を駆動することで、設定した傾斜角度を有する映像を撮影することが可能な電子カメラが開示されている。
【先行技術文献】
【特許文献】
【０００５】
【特許文献１】特開平１０−２６８３８９号公報
【発明の概要】
【発明が解決しようとする課題】
【０００６】
しかし、特許文献１の鏡筒ユニット回動機構はモータやギアを必要とするため小型化には制限がある。そのため、この鏡筒ユニット回動機構を携帯電話等に用いることは困難であると思われる。一方、利用者が表示部に表示される被写体の画像を見ながら手動で携帯電話等の水平を維持するのも容易ではない。
【０００７】
本発明は、このような課題に鑑み、簡易な装置構成で被写体を適切な角度で撮像することが可能な撮像装置および撮像方法を提供することを目的としている。
【課題を解決するための手段】
【０００８】
上記課題を解決するために、本発明にかかる撮像装置の代表的な構成は、筐体と、被写体を撮像する撮像部と、画像を表示可能な画像表示部と、筐体の姿勢を検知する姿勢検知部と、撮像部から取り込んだ原画像を姿勢検知部が検知した姿勢に基づいて補正する画像補正部と、原画像を補正した補正画像を、プレビュー画像として画像表示部に表示させる制御部と、を備えることを特徴とする。
【０００９】
本発明にかかる撮像装置の他の構成は、筐体と、被写体を撮像する撮像部と、画像を表示可能な画像表示部と、筐体の姿勢を検知する姿勢検知部と、撮像部から取り込んだ原画像を姿勢検知部が検知した姿勢に基づいて補正する画像補正部と、画像表示部にプレビュー画像を表示する際に、画像補正部により補正される原画像の範囲を示す画像取得枠をプレビュー画像に重畳して画像表示部に表示させる制御部と、を備えることを特徴とする。
【００１０】
制御部は、姿勢検知部が検知した姿勢に基づいて画像取得枠の拡大または縮小を行うとよい。
【００１１】
姿勢検知部は、筐体の所定の方向に対する傾き角を検知するとよい。
【００１２】
画像補正部は、被写体の水平方向と当該撮像装置の左右方向が一致するように原画像の補正を行ってもよい。
【００１３】
画像補正部は、フォーカスポイントを中心に原画像の補正を行ってもよい。
【００１４】
当該撮像装置は、被写体となる人物の顔を認識する顔認識部をさらに備え、画像補正部は、認識した人物の顔を中心に原画像の補正を行ってもよい。
【００１５】
顔認識部は複数の人物の顔の同時認識が可能であり、画像補正部は、複数の人物の顔の中心点を中心に原画像の補正を行ってもよい。
【００１６】
制御部は、画像補正部により補正される範囲内の画像に基づいて自動露出と自動ホワイトバランスを行うことよい。
【００１７】
筐体はヒンジを有する折り畳み可能な構造であって、撮像装置による撮像は筐体を開いた状態で行ってもよい。
【００１８】
上記課題を解決するために、本発明にかかる撮像方法の代表的な構成は、撮像装置にて被写体を撮像し、撮像装置の姿勢を検知し、撮像した原画像を、検知した姿勢に基づいて補正し、原画像を補正した補正画像を、プレビュー画像として表示することを特徴とする。
【００１９】
撮像装置にて被写体を撮像し、撮像装置の姿勢を検知し、撮像した原画像において、検知した姿勢に基づいて補正する範囲を取得し、プレビュー画像を表示する際に、取得した範囲を示す画像取得枠を重畳して表示させることを特徴とする。
【発明の効果】
【００２０】
本発明によれば、簡易な装置構成で被写体を適切な角度で撮像することが可能な撮像装置および撮像方法を提供することができる。
【図面の簡単な説明】
【００２１】
【図１】本実施形態における携帯電話の外観図である。
【図２】携帯電話の概略的な機能ブロック図である。
【図３】撮像操作を説明するフローチャートである。
【図４】ライブ補正モードを説明するための図である。
【図５】フレーム補正モードを説明するための図である。
【図６】補正の他の態様を説明するための図である。
【図７】補正の他の態様を説明するための図である。
【発明を実施するための形態】
【００２２】
［実施形態］
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２３】
本発明にかかる撮像装置は、主として手に把持して撮像（撮影）を行う携帯端末であり、例えば電子カメラ（デジタルカメラ）を始めとして、撮像機能を備えた携帯電話、ＰＨＳ、ノート型パーソナルコンピュータ、ＰＤＡ、音楽プレイヤー、カーナビゲーション、ＰＮＤ（Personal Navigation Device）、ゲーム機器、リモートコントローラ等の様々な装置を挙げることができる。本実施形態では、撮像装置として撮像機能を備えた折り畳み式携帯電話を例に挙げて説明する。
【００２４】
図１は本実施形態における携帯電話の外観図であって、図１（ａ）は折り畳み式携帯電話（以下、単に携帯電話１００と記す）を開いた状態での正面図、図１(ｂ)は携帯電話１００を開いた状態での背面図である。図２は携帯電話１００の概略的な機能ブロック図である。
【００２５】
図１に示すように、携帯電話１００は、筐体１０６、撮像部１２０、画像表示部１３０、操作部１７０、音声入力部１７２、音声出力部１７４、を備えている。また筐体１０６は、第１筐体１０２、第２筐体１０４、を備えている。
【００２６】
また図２に示すように、携帯電話１００は内部にさらに、制御部１１０、端末メモリ１１４、姿勢検知部１４０、画像補正部１５０、顔認識部１６０、無線通信部１７６、を備えている。
【００２７】
筐体１０６は携帯電話１００の外装を構成している。また、第１筐体１０２および第２筐体１０４はヒンジで連結されており、これによって折り畳み可能な構造となっている。通常、撮像部１２０による撮像は第１筐体１０２および第２筐体１０４を開いた状態で行う。具体的には、第１筐体１０２の背面に備えられた撮像部１２０を被写体に向け、第２筐体１０４に備えられた画像表示部１３０をファインダの代わりとして利用して撮像を行う。
【００２８】
制御部１１０は、中央処理装置（ＣＰＵ）を含む半導体集積回路により携帯電話１００全体を管理および制御する。例えば、通話機能、文字入力機能、音楽再生機能、ＴＶ視聴機能などを担うアプリケーションや、通信網を介してアプリケーション中継サーバ（図示せず）から提供されるＷｅｂブラウザやスケジュール管理などのアプリケーションを実行することが可能である。
【００２９】
端末メモリ１１４は、ＲＯＭ、ＲＡＭ、ＥＥＰＲＯＭ、不揮発性ＲＡＭ、フラッシュメモリ、ＨＤＤ等で構成され、制御部１１０で処理されるプログラムや音声データ等を記憶する。例えば、撮像部１２０により撮像された画像を保存しておくことが可能である。
【００３０】
撮像部１２０はハードウェアとしてのカメラユニットであって、レンズや受光素子（ＣＣＤやＣＭＯＳなど）を備え、使用者が操作部１７０を操作して被写体を撮像することができる。また撮像部１２０は制御部１１０の制御の下で撮像を行うこともできる。例えば制御部１１０は、撮像部１２０のシャッター速度やオートフォーカス、自動露出や自動ホワイトバランスなどの動作制御を行うことができる。
【００３１】
画像表示部１３０は第２筐体１０４に設けられており、液晶ディスプレイ、ＥＬ(Electro Luminescence)ディスプレイ等で構成され、画像や設定状態を表示することができる。この構成により画像表示部１３０は、音声通話の発着信相手の電話番号や、各種アプリケーションの動作画面、動画の閲覧、Ｗｅｂコンテンツ等を表示することが可能となっている。また、画像表示撮像部１３０は撮像部１２０のファインダとして、シャッターを切る前のプレビュー表示や、シャッターを切った後のポストビュー表示を行うことが可能である。
【００３２】
姿勢検知部１４０は、筐体１０６の姿勢を検知する。例えば、姿勢検知部１４０として３軸加速度センサーを用いて筐体１０６の姿勢を検知することで、水平方向や垂直方向に対する携帯電話１００の傾き角を検知することが可能となる。なお、本実施形態にかかる携帯電話１００は撮像部１２０が第１筐体１０２に設けられていることから、第１筐体１０２の傾き角を検知することが、後述する画像の補正のために有効である。
【００３３】
画像補正部１５０は、撮像部１２０によって撮像された画像を補正する。また補正は、姿勢検知部１４０が検知した姿勢に基づいて行うことが可能である。例えば、撮像部１２０から取り込んだ画像のデータを原画像として、姿勢検知部１４０が検知した携帯電話１００の傾き角に基づいて回転させ、画像表示部１３０と同じ縦横比の画像に切り抜き、画像表示部１３０の大きさに合わせて拡大させた補正画像を生成することが可能である。
【００３４】
また上述した制御部１１０は、後に詳述するように、シャッターを切る前のプレビュー画像を表示する際に、画像補正部１５０が水平補正した補正画像を画像表示部１３０にプレビュー画像として表示させることができる（以下、「ライブ補正モード」と記す）。またさらに、ライブ補正モードとは異なり、シャッターを切った後に画像補正部１５０によって水平補正される画像の範囲を示す画像取得枠１８０を、シャッターを切る前の通常のプレビュー画像に重畳して表示することができる（以下、「フレーム補正モード」と記す）。
【００３５】
顔認識部１６０は、撮像部１２０が撮像した画像に含まれる人物の顔を認識する。例えば、顔認識部１６０が認識した人物の顔は、制御部１１０によってオートフォーカスの対象物にされ、自動的にピントが調節された人物画像を撮像することができる。人物の顔の認識は、画像中に写る目や鼻、口などの特徴的な配置に基づいて認識することができる。この手法については公知の技術を用いることができるため、詳細な説明は省略する。
【００３６】
操作部１７０はキーボード、十字キー、ジョイスティック等の可動スイッチで構成され、利用者の操作入力を受け付けることができる。例えば、利用者は操作部１７０を利用して撮像部１２０による被写体の撮像を行うことが可能となる。
【００３７】
音声入力部１７２はマイク等の音声認識手段で構成され、通話時に入力された利用者の音声を携帯電話１００内で処理可能な電気信号に変換する。
【００３８】
音声出力部１７４はスピーカで構成され、携帯電話１００で受信した通話相手の音声信号を音声に変えて出力する。また、音声出力部１７４は、着信音や、操作部１７０の操作音、アラーム音等も出力できる。
【００３９】
無線通信部１７６は、ＣＤＭＡやＷｉＭＡＸ（Worldwide Interoperability for Microwave Access）等の無線通信方式にて基地局との無線通信を確立し、通信相手との音声通信やＷｅｂサーバとのデータ通信を遂行する。
【００４０】
上記構成の携帯電話１００の動作について説明する。図３は撮像操作を説明するフローチャート、図４はライブ補正モードを説明するための図、図５はフレーム補正モードを説明するための図である。
【００４１】
まず、利用者はＳ２００において、撮像部１２０を作動させる際に水平補正を行うか否かを選択する。水平補正を行わない場合（Ｓ２００のＮ）は、通常の撮像モードとなり、撮像部１２０から取り込んだ原画像を用いたプレビュー表示が開始される（Ｓ２１０）。
【００４２】
水平補正を行う場合（Ｓ２００のＹ）は、さらにライブ補正モードとフレーム補正モードとのいずれか一方を選択する（Ｓ２３０）。なお、ライブ補正モードとフレーム補正モードは、当該携帯電話１００がいずれか一方のみの機能を備えていてもよいし、利用者の設定に基づいて選択するように構成してもよい。
【００４３】
ライブ補正モードについて図３および図４を参照しながら説明する。図４（ａ）は通常の撮像モードでのプレビュー表示（Ｓ２１０）を示したものである。このように携帯電話１００が傾いていた場合のままシャッターを切ると（Ｓ２２０）、取得される画像は水平方向が傾いた画像となってしまう。しかし、携帯電話１００の利用者がプレビュー表示を見ながら手動で携帯電話１００を水平に保持することは容易ではない。
【００４４】
一方、ライブ補正モードを選択した場合（Ｓ２３０のＹ）は、姿勢検知部１４０により、水平方向Ｌ１に対して携帯電話１００の左右方向Ｌ２が有する傾き角Ａ１を検知する（Ｓ２４０）。また図４（ｂ）に示したように、画像補正部１５０は、この傾き角Ａ１に基づいて、原画像の水平方向Ｌ１が携帯電話１００の左右方向Ｌ２に一致するように矢印方向に回転させて補正（水平補正）する（Ｓ２５０）。制御部１１０は、補正された補正画像を画像表示部１３０にプレビュー表示する（Ｓ２６０）。
【００４５】
すなわち図４（ｂ）に示したように、ライブ補正モードでは補正後の画像をプレビュー画像として表示する。利用者は、このままシャッターを切るだけで（Ｓ３００）、水平に補正された画像を保存画像として取得することができる。
【００４６】
なお画像を回転させると、画像が矩形（長方形）であることから、角部に空白が生じてしまう。そこで、回転させた矩形の範囲が原画像の範囲内に収まるように切り抜きを行う。すなわち上記の補正とは、回転と切り抜きの２つの処理を含んでいる。画像表示部１３０には切り抜いた画像の全体を全面に表示させるが、切り抜いた画像を原画像と同じサイズ（ピクセル数）に伸張してもよく、または切り抜いた小さなピクセル数のままで表示だけを拡大してもよい。
【００４７】
取得された補正画像は、画像表示部１３０にポストビュー画像として表示される（Ｓ３３０）。また、ポストビューの表示時（Ｓ３３０）には、表示されている画像を保存するか否かを選択することができ（Ｓ３４０）、保存しない場合（Ｓ３４０のＮ）は、再度Ｓ２００からの撮像操作へ移行し、保存する場合（Ｓ３４０のＹ）は、画像は端末メモリ１１４に穂損され（Ｓ３５０）、撮像操作は終了となる。
【００４８】
このようにライブ補正モードを利用すれば、取得される補正画像の構図をプレビュー画像として視認しながら撮像操作を行うことができるため、意図する画像か否かを容易に判断することが可能となる。また利用者は、自ら携帯電話１００の角度を調整することなく水平な画像を簡易に取得することが可能となる。
【００４９】
フレーム補正モードについて図３および図５を参照しながら説明する。フレーム補正モードを選択した場合（Ｓ２３０のＮ）は、姿勢検知部１４０により携帯電話１００の傾き角Ａ１（図４（ａ）参照）を検知する（Ｓ２７０）。制御部１１０は、この傾き角Ａ１と画像表示部１３０の縦横比に基づいて、画像補正部１５０によって補正される画像の範囲を計算する（Ｓ２８０）。このとき、まだ画像の補正は行っていない。補正自体は上記ライブ補正モードと同様の処理であり、また補整される画像の範囲とは切り抜きを行う際の外縁（境界）である。
【００５０】
そして図５（ａ）で示すように、フレーム補正モードでは、通常のプレビュー画像に重畳して、補正される画像の範囲を画像取得枠１８０として表示する（Ｓ２９０）。画像取得枠１８０は鉛直方向と平行な辺を有する矩形であって、原画像と同じ縦横比を有している。制御部１１０は、姿勢検知部１４０が検知した姿勢に基づいて、画像表示部１３０に収まるように画像取得枠１８０の拡大または縮小を行う。
【００５１】
また図５（ｂ）に示すように、携帯電話１００がさらに傾いた場合であっても、制御部１１０が姿勢検知部１４０の検知した傾き角Ａ１に基づいて画像取得枠１８０を回転させることで、画像取得枠１８０は垂直を維持することが可能となる。この場合においても、制御部１３０は画像取得枠１８０を画像表示部１３０に収まる範囲で拡大し、または縮小して表示している。
【００５２】
フレーム補正モードでは、プレビュー表示（Ｓ２９０）の後にシャッターが切られる（Ｓ３１０）と、画像取得枠１８０に則して原画像に対して実際に補正を行う（Ｓ３２０）。取得された補正画像は、図５（ａ）および図５（ｂ）に示したように、画像表示部１３０にポストビュー画像として表示される（Ｓ３３０）。このとき画像表示部１３０には、補正後の画像を表示する。そして上記と同様に保存するか否かを問い合わせて（Ｓ３４０）、操作に応じて端末メモリ１１４に保存する（Ｓ３５０）。この補正によって原画像は水平な補正画像となる。
【００５３】
これらのようにフレーム補正モードを利用すれば、通常のプレビュー画像に画像取得枠１８０を重畳して表示することで、通常の撮像モードで取得される画像とフレーム補正モードにより取得される画像の範囲とを見比べながら撮像を行うことが可能となる。したがって利用者は、補正され取得される画像が意図するものであるか容易に把握でき、また利用者が自ら携帯電話１００の角度を調整することなく水平な画像を簡易に取得することが可能となる。
【００５４】
上記説明した如く、本実施形態の構成によれば、撮像した画像を自動的に水平補正することができる。したがって利用者は水平を気にして携帯電話１００を構える必要がなくなり、容易に被写体を適切な角度で撮像することが可能となる。
【００５５】
［他の実施形態］
図６および図７を用いて画像補正部１５０による補正の他の態様を説明する。上記実施形態と説明の重複する部分については同一の符号を付して説明を省略する。
【００５６】
上記実施形態においては、原画像の中心で回転させて補正することを想定して説明した。しかし、回転により写したいものが画像の端に寄ってしまったり、極端な場合には画像の外に出てしまったりする場合も想定される。このため、さらに好適な画像を得るために、回転中心を考慮することも考えられる。
【００５７】
図６はフォーカスポイントを中心に原画像を回転させて補正を行う例である。図６ではサッカーボールにフォーカスポイント１９０があり、サッカーボールを中心に原画像を回転させて補正している。フォーカスポイント１９０はその画像（写真）における主題であると考えられ、フォーカスポイント１９０を中心に回転させることによってその位置の画像が画像の端に寄ってしまうことを防止することができる。したがって、利用者は被写体の構図の調整を意識することなく、容易に撮像を行うことが可能となる。
【００５８】
またスナップ写真において人物が主題となる場合が多い。そこで人物の顔を認識することにより、その位置にフォーカスポイント１９０を設定することがよく行われている。
【００５９】
そこで図７（ａ）に示すように、画像補正部１５０は顔認識部１６０が認識した人物の顔を中心に補正を行うことも可能である。このとき、あわせて人物の顔にフォーカスポイント１９０を設定することが好ましい。これにより人物の顔が補正により画面の端に寄ってしまうことを防止することができる。よって利用者は、人物画像を撮像する際にも構図の調整を意識することなく、適切に被写体の方向が補正された画像を容易に取得することが可能となる。
【００６０】
さらに図７（ｂ）に示すように、顔認識部１６０によって複数の人物の顔の同時認識を行った場合には、画像補正部１５０は、複数の人物の顔の中心点を中心に原画像を回転させて補正を行ってもよい。これにより、複数の人物が被写体となる場合でも全員を画像に収めたままの補正を行うことが可能となる。このときフォーカスポイント１９０は、いずれの人物の顔に設定されていてもよい。
【００６１】
なお各補正モードに共通して、制御部１１０は画像補正部１５０により補正される範囲内の画像に基づいて自動露出（ＡＥ）と自動ホワイトバランス（ＡＷＥ）を行うことが可能である。具体的には、原画像の範囲内には空が存在するが補正画像の範囲内からは空が外れている場合、空の明るさや色を省いて適正な露出を得て、またＲ、Ｇ、Ｂの各色成分のレベル変換を行うことができる。このように、補正後に実際に取得される画像の範囲内で色の様相を整えることができるため、被写体の色がより的確に表現された画像を取得することが可能となる。
【００６２】
また上記実施形態では携帯電話１００を通話時と同じ縦に構えた状態で例示したが、横に構えた状態でも同様に補正を行うことが可能である。例えばライブ補正モードでは、姿勢検知部１４０が携帯電話１００の垂直方向に対する傾き角を検知し、縦長の画像表示部１３０が垂直方向に対して４５°以上傾いて横長状態となったら、プレビュー画像の表示も横長状態に切り替えて水平補正を行うことができる。またフレーム補正モードでは、画像表示部１３０が垂直方向に対して４５°以上傾いた場合に、画像取得枠１８０も横長状態に切り替えて表示することができる。
【００６３】
また画像補正部１５０は、上記実施形態に記載した水平補正だけでなく、利用者が任意に設定した角度を有する画像に補正することも可能である。したがって利用者は、例えば水平に対して１５°や３０°などの角度を設定し、自分が求める演出を容易にかつ確実に画像に対して行うことができる。またさらに画像補正部１５０は、姿勢検知部１４０の検知した姿勢に基づき画像を遠近補正することもでき、これにより原画像の遠近方向の歪みが補正された補正画像を取得することが可能となる。
【００６４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６５】
本発明は、被写体を撮像する撮像装置および撮像方法として利用することができる。
【符号の説明】
【００６６】
１００…携帯電話
１０２…第１筐体
１０４…第２筐体
１０６…筐体
１１０…制御部
１１４…端末メモリ
１２０…撮像部
１３０…画像表示部
１４０…姿勢検知部
１５０…画像補正部
１６０…顔認識部
１７０…操作部
１７２…音声入力部
１７４…音声出力部
１７６…無線通信部
１８０…画像取得枠
１９０…フォーカスポイント
【図１】
2010252238.tif 000003
【図２】
2010252238.tif 000004
【図３】
2010252238.tif 000005
【図４】
2010252238.tif 000006
【図５】
2010252238.tif 000007
【図６】
2010252238.tif 000008
【図７】
2010252238.tif 000009